(57)【要約】      （修正有）【課題】グリップエンド等に装着することなく、単体での使用で、グリーン上、又はカップインしたゴルフボールを拾い上げることができる、ゴルフボール拾い器を提供する。【解決手段】ボールを挟んで拾う為のボール拾い器であって、一方側にプレーヤーが握る握り部２と、反対方向側にボールを挟む為のボール挟み部３とで構成されており、このボール挟み部３は、半円弧状に形成され、この半円弧状の各先端部間の距離は、拾う対象のボールの直径よりも小さくされている。半円弧状のボール挟み部３は、円弧面に沿って内側に溝部が形成されている。ボール拾い器は、平板状に形成され、握り部２が、ボール挟み部３よりも横幅が細く、厚みも薄くなり、プレーヤーの持ち易い形状を特徴とする。握り部２側は、プレーヤーの持ち手の指を入れることができる貫通孔４ａ，４ｂ，４ｃが備えられている。【選択図】図１
0003194734.tif 000002
【実用新案登録請求の範囲】
【請求項１】
ボールを挟んで拾う為のボール拾い器であって、一方側にプレーヤーが握る握り部と、反対方向側にボールを挟む為の挟み部とで構成されており、この挟み部は、半円弧状に形成され、この半円弧状の各先端部間の距離は、拾う対象のボールの直径よりも小さくされていることを特徴とするボール拾い器である。
【請求項２】
前記半円弧状の挟み部は、円弧面に沿って内側に溝部が形成されていることを特徴とする請求項１のボール拾い器である。
【請求項３】
前記ボール拾い器は、平板状に形成され、前記握り部が、前記挟み部よりも横幅が細く、厚みも薄くなり、プレーヤーの持ち易い形状を特徴とする請求項１又は、請求項２に記載のボール拾い器である。
【請求項４】
前記握部側は、プレーヤーの持ち手の指を入れることができる貫通孔が備えられていることを特徴とする請求項１ないし請求項３に記載のボール拾い器である。
【請求項５】
本体は、木製品で構成されており、木が持つ特性の一つである、たわむ性質を活かした形状となっており、本体をボールに押し当てた際、前記先端部間の距離が僅かに広がりボールを保持し、ボールを保持した後は、一度広がった前記先端部が元に戻ろうとする力を利用して、ボールを把持させる事ができる請求項１および請求項２に記載のボール拾い器である。
【考案の詳細な説明】
【技術分野】
【０００１】  本考案は、グリーン上や、カップの中からボールを取り出す際にボールを把持し、拾い上げることができるゴルフボール拾い器に関するものである。
【背景技術】
【０００２】  従来のゴルフボール拾い器は、ゴルフクラブのグリップ先端に嵌め込んで使用し、クラブでボールを打つ時等、ゴルフボール拾い器として使用しない時はプレーヤーが持ち歩かなければならず、また、グリップの先端に脱着する構造となっている為、その作業に手間がかかるという問題があった。また、その他の構造をもつゴルフボール拾い器では、ゴルフクラブと同程度の長さをもつ棒材の先端部に、ボール把持部が備えられている用具もあるが、プレー中に使用するクラブと一緒に持ち歩く必要があり、かさばってしまう問題もあった。【０００３】  また、従来のゴルフボール拾い器は、プラスチックやゴム、金属等で構成されている。
【考案の概要】
【考案が解決しようとする課題】
【０００４】  本考案は、以上のような従来の欠点を解消するゴルフボール拾い器を提供する事を目的としている。【０００５】  足腰の弱い人、関節に痛みがある人は、ボールを拾い上げる時に、足腰を曲げると苦痛を伴ったり、バランスを崩して転倒してしまう恐れがあり、ボールを拾い上げる時、腰を屈めて足のつま先に体重がかかってしまい、その部分の芝生を傷めて、他プレーヤーのプレーの妨げになる事があった。【０００６】  なので、プレー中に持ち歩くことを容易にし、プレーの邪魔にならない形態にする為に、軽量化する事が望まれている。【０００７】  また、冬季のプレーでは、寒い中で冷たいボールを拾う際に、従来のようなボール拾い器では、プレーヤーが冷たさを感じてしまうという欠点もあった。
【課題を解決する為の手段】
【０００８】  そこで、本考案のゴルフボール拾い器は、プレー中等に用具を持ち歩く際の負担を軽減させる為、ゴルフクラブのグリップに装着する必要がなく、形態もかさばらないことが求められる。
【０００９】  上記目的を達成するために、本考案は、木の特性を活かした木製品で構成されている。
【００１０】  本考案は、本体の握り部を持ち、グリーン上、又はカップインしたボールにボール挟み部を押し当て、ボール挟み部にボールを把持させて拾い上げることができる形態をとっている。
【考案の効果】
【００１１】  以上の説明から明らかなように、本考案にあっては次に列挙する効果が得られる。
【００１２】  ボールを拾い上げる時、足のつま先へ体重がかかるのを軽減させ、その部分の芝生を傷めることを軽減する。
【００１３】  プレーの妨げとなる用具として持ち歩くことから解放し、ポケット等に入れられるような形態でかさばらず、軽量化することができるようになった。
【００１４】  従来のゴルフボール拾い器にない木製品である為、手に持った感触が冷たさを感じにくく、また、高級感がある。
【図面の簡単な説明】
【００１５】
【図１】本考案のボール拾い器の斜視図の説明図である。
【図２】図１に示した正面図である。
【図３】図１に示すボール挟み部の拡大図である。
【図４】本考案の実施形態を示す説明図である。
【図５】ボール把持した説明図である。
【考案を実施するための形態】
【００１６】  以下、本考案の実施の形態を図に基づいて説明する。図１に示すように、本考案のボール拾い器１は、木材で構成され、平板状に形成されており、一方側にプレーヤーが握る握り部２が形成され、反対側に円弧状のボール挟み部３が形成されている。
【００１７】  また、ボール拾い器１の、握り部２の横幅Ａは、ボール挟み部３の横幅Ｂよりも細く形成されており、さらに、握り部２の厚みＣは、ボール挟み部３の厚みＤよりも薄く形成されている。これによってプレーヤーがボール拾い器１を握り易い形状となっている。加えて、このボール拾い器１の握り部２と、ボール挟み部３との間には、複数の貫通孔４ａ、４ｂ、４ｃが形成されている。上記を形成することによって、その孔にプレーヤーが指を通し、握り部２の端部２ａを手のひらに押し当て、ボール拾い器を安定した状態で持つことが出来る様になる。
【００１８】  ボール拾い器１は、木製品で構成されており、ボールを挟んで把持するときに、木がもつ特性の一つである、たわむ性質を活かした形状となっている。ボール拾い器１のボール挟み部３をボールに押し当てた時、半円弧状に開いたボール挟み部の先端部５の間が、僅かに広がりボールを挟み込み、ボールを保持する。また、保持した後は、一度広がったボール挟み部の先端部５の間が元に戻ろうとする力を利用して、さらにボールを把持させることができる。
【００１９】  一方、ボール拾い器１のボール挟み部３は、円弧状に形成されており、その内径は、ボール６の直径より僅か小さくなっている。また、そのボール挟み部の延長部３ａは、ボール６を挟み込んだ際に、図５に示されたボール６の直径となる位置よりも少し飛び出す程度、長めに形成されている。そして、ボール挟み部３は、板厚に沿って円弧状の溝部７が形成されている。この溝部７を形成することによって、ボール挟み部３に４つの突部５ａ、５ａ、５ａ、５ａが形成されることとなる。その為、４か所ある突部５ａ、５ａ、５ａ、５ａが、ボール６に形成されているディンプルと呼ばれる凹部８に嵌まり込んで把持力が向上することとなる。
【符号の説明】
【００２０】１  ボール拾い器本体
２  握り部
２ａ  握り部の端部
Ａ  握り部の横幅
Ｂ  ボール挟み部の横幅
Ｃ  握り部の厚み
Ｄ  ボール挟み部の厚み
３  ボール挟み部
３ａ  ボール挟み部の延長部
４ａ  貫通孔
４ｂ  貫通孔
４ｃ  貫通孔
５  ボール挟み部の先端部
５ａ  突部
６  ボール
７  溝部
８  凹部
【産業上の利用可能性】  本考案は、ボール拾い器を製造する産業で利用される。
【図１】
0003194734.tif 000003
【図２】
0003194734.tif 000004
【図３】
0003194734.tif 000005
【図４】
0003194734.tif 000006
【図５】
0003194734.tif 000007
【手続補正書】
【提出日】平成26年9月22日(2014.9.22)
【手続補正１】
【補正対象書類名】実用新案登録請求の範囲
【補正対象項目名】全文
【補正方法】変更
【補正の内容】
【実用新案登録請求の範囲】
【請求項１】
ボールを挟んで拾う為のボール拾い器であって、一方側にプレーヤーが握る握り部と、反対方向側にボールを挟む為の挟み部とで構成されており、この挟み部は、半円弧状に形成され、この半円弧状の各先端部間の距離は、拾う対象のボールの直径よりも小さくされていることを特徴とするボール拾い器。
【請求項２】
前記半円弧状の挟み部は、円弧面に沿って内側に溝部が形成されていることを特徴とする請求項１に記載のボール拾い器。
【請求項３】
前記ボール拾い器は、平板状に形成され、前記握り部が、前記挟み部よりも横幅が細く、厚みも薄くなり、プレーヤーの持ち易い形状を特徴とする請求項１又は、請求項２に記載のボール拾い器。
【請求項４】
前記握り部側は、プレーヤーの持ち手の指を入れることができる貫通孔が備えられていることを特徴とする請求項１ないし請求項３のいずれか一項に記載のボール拾い器。
【請求項５】
ボール拾い器は木製品で構成されており、木が持つ特性の一つである、たわむ性質を活かした形状となっており、本体をボールに押し当てた際、前記先端部間の距離が僅かに広がりボールを保持し、ボールを保持した後は、一度広がった前記先端部が元に戻ろうとする力を利用して、ボールを把持させる事ができる請求項１又は請求項２に記載のボール拾い器。